(57)【要約】【課題】  本発明はケーブルホルダーに係り、取付作業性に優れ、併せて共用化を図って様々な高さ寸法の装置に対応可能なケーブルホルダーを提供することを目的とする。【解決手段】  請求項１に係るケーブルホルダーは、装置を搭載するラックの支柱の上下に固着される取付具と、該取付具間に装着され、スライド可能に取り付く一対の分割ホルダーとからなり、両分割ホルダーは、ピッチ幅及び形状を同じくする複数のケーブル把持溝が形成されていることを特徴とする。  そして、請求項２に係る発明は、請求項１に記載のケーブルホルダーに於て、一対の前記分割ホルダーに、位置決めストッパが形成されていることを特徴とし、請求項３に係る発明は、請求項２に記載のケーブルホルダーに於て、前記位置決めストッパは、両分割ホルダーの抜け止め機構を有していることを特徴とする。【選択図】    図１０
2010040663.tif 000002
【特許請求の範囲】
【請求項１】
装置を搭載するラックの支柱の上下に固着される取付具と、該取付具間に装着され、スライド可能に取り付く一対の分割ホルダーとからなり、両分割ホルダーは、ピッチ幅及び形状を同じくする複数のケーブル把持溝が形成されていることを特徴とするケーブルホルダー。
【請求項２】
一対の前記分割ホルダーに、位置決めストッパが形成されていることを特徴とする請求項１に記載のケーブルホルダー。
【請求項３】
前記位置決めストッパは、両分割ホルダーの抜け止め機構を有していることを特徴とする請求項２に記載のケーブルホルダー。
【請求項４】
一対の前記分割ホルダーに、前記ケーブル把持溝よりも短寸な同一形状の副ケーブル把持溝が設けられていることを特徴とする請求項１乃至請求項３のいずれか１項に記載のケーブルホルダー。
【請求項５】
前記ケーブル把持溝は、開口が狭く、奧が広く形成されていることを特徴とする請求項１乃至請求項４のいずれか１項に記載のケーブルホルダー。
【請求項６】
前記副ケーブル把持溝は、開口が狭く、奧が広く形成されていることを特徴とする請求項４に記載のケーブルホルダー。
【請求項７】
前記取付具は、支柱に装置と共締めされることを特徴とする請求項１に記載のケーブルホルダー。
【請求項８】
前記取付具に回り止めが施されていることを特徴とする請求項７に記載のケーブルホルダー。
【請求項９】
前記両分割ホルダーと前記取付具に係止手段が設けられ、両分割ホルダーは、該係止手段を介して取付具に着脱自在に係止していることを特徴とする請求項１乃至請求項８のいずれか１項に記載のケーブルホルダー。
【発明の詳細な説明】
【技術分野】
【０００１】
本発明はケーブルホルダーに係り、主として光通信装置から出ている多数の光ファイバーケーブルを整線，保持するケーブルホルダーに関する。
【背景技術】
【０００２】
特許文献１に開示されるように、従来、ラックに搭載した電子装置等から出る多数の接続ケーブルを整線，保持するため、ケーブルホルダーが広く使用されており、ラックの支柱等にケーブルホルダーを止着し、装置から出る接続ケーブルを該ケーブルホルダーで左右に振り分け保持していた。
【０００３】
そして、高速，大容量化を続ける現代の通信ネットワークでは、従来の電気ケーブルに代え、光ファイバーケーブルを使用して信号の送受信を行っているが、ラックに搭載した光通信装置からも多数の光ファイバーケーブルが出ている。
【０００４】
このため、通信中にあるパッケージを交換したい場合に、他の光ファイバーケーブルが邪魔で交換不可となることがないように、図２９の如くラック１の左右の支柱３にケーブルホルダー５，７をねじ止め固定し、該ケーブルホルダー５，７で光通信装置９から出る光ファイバーケーブル１１（内線１１ａや外線１１ｂ）を左右に振り分け保持して、光ファイバーケーブル１１を整線している。
【０００５】
前記ケーブルホルダー５，７は、光ファイバーケーブル１１を掛止する複数のケーブル把持溝１３が形成された断面Ｌ字状の櫛形形状をなし、Ｌ字状に折曲した取付フランジ１５，１７を介して支柱３にねじ止めしている。そして、該支柱３に、ケーシング１９に止着した取付金具２１を介して光通信装置９がねじ止め固定されている。
【特許文献１】特開平６−５３６７２号公報
【発明の開示】
【発明が解決しようとする課題】
【０００６】
しかし乍ら、従来、前記ケーブルホルダーは、ラックに搭載する光通信装置（ケーシング）の仕様（高さ寸法）に応じ複数種用意され、また、形状も取付フランジの折曲方向が異なる等、左右で別々の形状となっていた。
【０００７】
更に、装置に実装する実装パッケージのピッチ幅によりケーブル把持溝のピッチ幅も変わるため、その装置専用のケーブルホルダーとなっているのが実情であった。
【０００８】
このため、複数種のケーブルホルダーを製造するためコストがかかり、而も、これらの商品管理が煩わしいのが実情であった。
【０００９】
また、前記従来例の如く、光通信装置をねじ止め固定したラックの左右の支柱に更にケーブルホルダーをねじ止め固定する等、ねじ止め箇所が多く作業性が悪いといった課題も残されていた。
【００１０】
本発明は斯かる実情に鑑み案出されたもので、取付作業性に優れ、併せて共用化を図って様々な高さ寸法の装置に対応可能なケーブルホルダーを提供することを目的とする。
【課題を解決するための手段】
【００１１】
斯かる目的を達成するため、請求項１に係るケーブルホルダーは、装置を搭載するラックの支柱の上下に固着される取付具と、該取付具間に装着され、スライド可能に取り付く一対の分割ホルダーとからなり、両分割ホルダーは、ピッチ幅及び形状を同じくする複数のケーブル把持溝が形成されていることを特徴とする。
【００１２】
そして、請求項２に係る発明は、請求項１に記載のケーブルホルダーに於て、一対の前記分割ホルダーに、位置決めストッパが形成されていることを特徴とし、請求項３に係る発明は、請求項２に記載のケーブルホルダーに於て、前記位置決めストッパは、両分割ホルダーの抜け止め機構を有していることを特徴とする。
【００１３】
また、請求項４に係る発明は、請求項１乃至請求項３のいずれか１項に記載のケーブルホルダーに於て、一対の前記分割ホルダーに、前記ケーブル把持溝よりも短寸な同一形状の副ケーブル把持溝が形成されていることを特徴とし、請求項５に係る発明は、請求項１乃至請求項４のいずれか１項に記載のケーブルホルダーに於て、前記ケーブル把持溝は、開口が狭く、奧が広く形成されていることを特徴とする。
【００１４】
そして、請求項６に係る発明は、請求項４に記載のケーブルホルダーに於て、前記副ケーブル把持溝は、開口が狭く、奧が広く形成されていることを特徴とする。
【００１５】
更に、請求項７に係る発明は、請求項１に記載のケーブルホルダーに於て、前記取付具は、支柱に装置と共締めされることを特徴とし、請求項８に係る発明は、請求項７に記載のケーブルホルダーに於て、前記取付具に回り止めが施されていることを特徴とする。
【００１６】
そして、請求項９に係る発明は、請求項１乃至請求項８のいずれか１項に記載のケーブルホルダーに於て、前記両分割ホルダーと前記取付具に係止手段が設けられ、両分割ホルダーは、該係止手段を介して取付具に着脱自在に係止していることを特徴とする。
【発明の効果】
【００１７】
請求項１に係る発明によれば、光通信装置の高さ寸法に応じて分割ホルダーをスライド操作して、ケーブルホルダーを取付具間に装着すればよいため、従来の如く仕様に応じ複数種用意する必要がなく、而も、上下を反転させることで左右の何れにも使用できることも相俟って、ケーブルホルダーの製造コストの削除が図れ、商品管理も用意である。
【００１８】
そして、請求項２及び請求項３に係る発明によれば、ケーブルホルダーの取付けの際に両分割ホルダーのズレや脱落がなく、作業性に優れた利点を有する。
【００１９】
また、請求項４に係る発明によれば、副ケーブル把持溝を設けたため、分割ホルダーのスライド操作でケーブル把持溝の増減が可能となり、請求項５及び請求項６に係る発明によれば、ケーブル把持溝及び副ケーブル把持溝の開口を狭く、奧を広く形成することで光ファイバーケーブルが脱落することがない。
【００２０】
更に、請求項７に係る発明によれば、取付具を支柱に装置と共締めできるため、従来に比しねじ止め作業が軽減し、請求項９に係る発明によれば、両分割ホルダーが係止手段を介して取付具に着脱自在に係止可能であるため、ねじ止めによるケーブルホルダーの取付けが不要となって、従来に比し作業性が著しく向上する利点を有する。
【００２１】
そして、請求項８に係る発明によれば、取付具に回り止めを設けているため、該取付具をねじで装置と共締めする際に、取付具が回ってズレてしまうことがなく、ねじ止め作業がし易い利点を有する。
【発明を実施するための最良の形態】
【００２２】
以下、本発明の実施形態を図面に基づいて詳細に説明する。
【００２３】
図１乃至図２８は請求項１乃至請求項９に係るケーブルホルダーの一実施形態を示し、本実施形態に係るケーブルホルダーは、図１乃至図５に図示する一対の平面視矩形状の分割ホルダー２３，２５と、図１２乃至図２１に示す取付具２７，２９とで構成されており、分割ホルダー２３，２５は樹脂で形成され、取付具２７，２９は樹脂または金属で形成されている。
【００２４】
図１乃至図３に示すように分割ホルダー２３の左辺３１には、開口が狭く、奧が広い正面視略漏斗形状の３つのケーブル把持溝３３が横方向に平行に設けられており、各ケーブル把持溝３３はピッチ幅（Ｌ１＝２５ｍｍ）及び形状を同じくしている。
【００２５】
また、分割ホルダー２３の左辺３１と右辺３５には、断面Ｕ字状に屈曲した屈曲片３７，３９が設けられており、両屈曲片３７，３９間に、他方の分割ホルダー２５が隙間なくスライド自在に挿入できるようになっている。
【００２６】
左辺３１側の屈曲片３７は、上部のケーブル把持溝３３の開口上部と、下部のケーブル把持溝３３の開口下部と、中央のケーブル把持溝３３と下方のケーブル把持溝３３の両開口との間に、夫々、短冊状に設けられている。
【００２７】
一方、右辺３５側の屈曲片３９は分割ホルダー２３の略中央まで延設されて、右辺３５側上部がＬ字状に切り欠かれ、また、右辺３５側下部が細く切り欠かれており、斯様に右辺３５側下部に形成された切欠き４１は、分割ホルダー２５に設けた後述する係止片４３の動きを規制しないように設けたものである。
【００２８】
また、前記屈曲片３９には、分割ホルダー２５に設けた後述する係止突起４５が係止可能な平面視円形形状の５個の係止孔４７が、ケーブル把持溝３３の中心線上に設けられている。
【００２９】
そして、屈曲片３９がＬ字状に切り欠かれた分割ホルダー２３の右辺３５側上部に、断面Ｌ字状に折曲した短冊状の係止片４９が設けられており、図２に示すように該係止片４９の上辺と下辺の各中央に、夫々、凹状の係止溝５１，５３が設けられている。
【００３０】
図４及び図５は前記屈曲片３７，３９間に隙間なく挿入可能な分割ホルダー２５を示し、図６に示すように該分割ホルダー２５は、前記分割ホルダー２３と同一の縦寸法（Ｌ２＝７６ｍｍ）に形成されている。そして、その左辺５５には、前記ケーブル把持溝３３と同一形状のケーブル把持溝５７が同一のピッチ幅（２５ｍｍ）で形成されており、図６及び図７に示すように前記屈曲片３７，３９間に挿入した分割ホルダー２５の上下を分割ホルダー２３に合わせると、両ケーブル把持溝３３，５７が一致してケーブルホルダー５９に３つのケーブル把持溝３３，５７が開口するようになっている。
【００３１】
また、図４に示すように分割ホルダー２５には、上部のケーブル把持溝５７の中心軸上に、２個の断面円弧状の係止突起４５が前記係止孔４７に対応して設けられ、下部のケーブル把持溝５７の中心軸上に、前記係止孔４７に対応して１個の断面円弧状の係止突起４５が設けられている。そして、図６の如く分割ホルダー２５の上下を分割ホルダー２３に合わせたとき、３個の係止突起４５が係止孔４７に夫々係止し、これらは両分割ホルダー２３，２５の位置決め兼脱落防止用のストッパとして機能している。
【００３２】
そして、斯様に両分割ホルダー２３，２５の上下を合わせた図６のケーブルホルダー５９は、２Ｕの光通信装置用のケーブルホルダー５９として使用できるようになっている。
【００３３】
即ち、ラックに搭載される光通信装置の高さ寸法は、１Ｕ＝４４．４５ｍｍと規格が統一されており、２Ｕの光通信装置の高さ寸法は４４．４５ｍｍ×２、３Ｕの光通信装置の高さ寸法は４４．４５ｍｍ×３である。
【００３４】
そして、図６の状態から、図８及び図９の如く分割ホルダー２５を下方へ１ピッチ（＝２５ｍｍ）スライドさせると、両分割ホルダー２３，２５の２つのケーブル把持溝３３，５７が一致して、上下のケーブル把持溝３３，５７と合わせて４つのケーブル把持溝３３，５７が使用できるようになっている。そして、図示するように２個の係止突起４５が係止孔４７に係止して、両分割ホルダー２３，２５の位置決めと脱落防止が図られている。
【００３５】
また、図８の状態から、図１０及び図１１の如く分割ホルダー２５を更に下方へ１ピッチ（＝２５ｍｍ）スライドさせると、ケーブルホルダー５９が３Ｕ用のケーブルホルダー５９として使用できるようになっている。そして、図示するようにこのとき、両分割ホルダー２３，２５の１つのケーブル把持溝３３，５７が一致して、合計５つのケーブル把持溝３３，５７が使用できるようになっている。そして、２個の係止突起４５が係止孔４７に係止して、両分割ホルダー２３，２５の位置決めと脱落防止が図られている。
【００３６】
更に、図４及び図５に示すように分割ホルダー２５の右辺６１側下部には、前記係止片４９と同一形状の係止片４３が設けられており、該係止片４３の上辺と下辺の各中央に、夫々、凹状の係止溝５１，５３が設けられている。
【００３７】
そして、図６及び図７の状態で両分割ホルダー２３，２５が重なっているとき、両係止片４３，４９の係止溝５３間の寸法Ｌ３は５０ｍｍに設定されている。従って、図１０の如く分割ホルダー２５を下方へ２ピッチ（＝５０ｍｍ）スライドさせたとき、両係止片４３，４９の係止溝５３間の寸法Ｌ４は１００ｍｍとなる。
【００３８】
更にまた、図１に示すように分割ホルダー２３の左辺３１側には、上部のケーブル把持溝３３と中央のケーブル把持溝３３との中間に、該ケーブル把持溝３３よりも短寸で、開口が狭く奧が広い正面視ビーカー形状の副ケーブル把持溝６３がケーブル把持溝３３と平行に形成されている。
【００３９】
一方、図４に示すように分割ホルダー２５の左辺５５側にも、中央のケーブル把持溝５７と下部のケーブル把持溝５７との中間に、前記副ケーブル把持溝６３と同一形状の副ケーブル把持溝６５が設けられており、図６の如く両分割ホルダー２３，２５が重なっているとき、両副ケーブル把持溝６３，６５は、夫々、分割ホルダー２５，２３によって塞がれている。
【００４０】
そして、図８の如く分割ホルダー２５を下方へスライドさせると、副ケーブル把持溝６３，６５の夫々半分が現れ、更に図１０の如く分割ホルダー２５を下方へスライドさせると、副ケーブル把持溝６３，６５が完全に現れて、ケーブル把持溝３３，５７とで合計７つの把持溝がケーブルホルダー５９に開口するようになっている。
【００４１】
次に、図１２乃至図２１を基に取付具２７，２９を説明すると、先ず、図１５中、６７はラックに搭載する光通信装置（図示せず）のケーシングの左側後部に取り付く金具（ブラケット）、また、図２０中、ケーシングの右側後部に取り付く金具（ブラケット）で、両金具６７，６９を介して光通信装置がラックの支柱にねじ止め固定されるようになっている。そして、これらは左右対称で、夫々の高さ寸法Ｌ４は８７ｍｍである。
【００４２】
而して、図１２乃至図１６は前記金具６７に取り付く取付具２７を示し、図１２に示すように取付具２７は平面視Ｌ字状に形成され、支柱との固着面７１側に、ねじ７３の軸部（図示せず）が挿通する逆Ｕ字状の切欠き７５が設けられている。このねじ７３は、金具６７を介して光通信装置をラックの支柱にねじ止めするために用いるもので、取付具２７は、支柱に光通信装置（金具６７）とねじ７３で共締めされるようになっている。尚、図１３中、７７はねじ７３の頭部で、ねじ７３の締め付けによって該頭部７７が固着面７１に圧接する。また、図１５中、８０は金具６７に設けた２つのねじ孔で、両ねじ孔８０の中心間距離Ｌ５は５０ｍｍである。
【００４３】
そして、固着面７１の一端側には、前記金具６７の後端７９に係止する係止片８１が折曲されており、斯かる係止片８１は、支柱にねじ７３で光通信装置と共締めする際の取付具２７の回り止めとして機能する。
【００４４】
また、図１２乃至図１４に示すように固着面７１の他端側に折曲された支持片８３は、その中央から先端側が略半分の高さ寸法とされ、その境部分に前記係止溝５１，５３が係止可能な支持溝８５が設けられている。
【００４５】
尚、図１７乃至図２１に示すように、前記金具６９に取り付く右側の取付具２７は前記取付具２５と左右対称な構造であるため、同一のものには同一符号を付してそれらの説明は省略する。
【００４６】
そして、図１５及び図２０に示すように、前記取付具２７，２９を金具６７，６９のねじ孔８０に対応して２個宛取り付けたとき、上下の取付具２７，２９の支持溝８５間の寸法Ｌ６は５０ｍｍとなる。
【００４７】
また、図２２，図２３はラックに搭載する３Ｕの光通信装置（図示せず）のケーシングの左右後部に取り付く金具８７，８９を示し、両金具８７，８９の高さ寸法Ｌ７は１２８．９ｍｍとされ、上下に設けたねじ孔８０の中心間距離Ｌ８は１００ｍｍとされている。
【００４８】
従って、図示するように前記取付具２７，２９をねじ孔８０に合わせて金具８７，８９に２個宛取り付けたとき、上下の取付具２７，２９の支持溝８５間の寸法Ｌ９は１００ｍｍである。
【００４９】
更に、図２４は４Ｕの光通信装置のケーシングの右側に取り付く金具９１に前記取付具２９を取り付けたもので、図中、９３は該金具９１とケーシングとを固定するねじである。
【００５０】
そして、本実施形態では、前記金具９１に、図２３の寸法Ｌ８と同一寸法でねじ孔８０を上下に設けて、該ねじ孔８０に沿って取付具２９を取り付けている。尚、前記金具９１の高さ寸法Ｌ１０は１７４ｍｍとされている。また、４Ｕ装置の左側の金具に対する取付具２７の取付けは図２４と同様であるため省略する。
【００５１】
本実施形態に係るケーブルホルダー５９はこのように構成されているから、該ケーブルホルダー５９を例えば２Ｕ用に使用する場合、図１５，図２０で説明したように、先ず、取付具２７，２９を支柱にねじ７３で光通信装置と共締めする。このとき、取付具２７，２９に設けた係止片８１が取付具２７，２９の回り止めとして機能する。
【００５２】
そして、図６の如く分割ホルダー２３，２５の上下を合わせてケーブルホルダー５９を２Ｕ用にセットした後、図２５及び図２６に示すように、ケーブルホルダー５９側の係止片４３，４９の係止溝５３を左側の上下の取付具２７の支持溝８５に係止し、また、図示しないが、ケーブルホルダー５９の上下を反転させて、係止片４３，４９の係止溝５１を右側の取付具２９の支持溝８５に係止させれば、ラックの左右の支柱に取付具２７，２９を介して２つのケーブルホルダー５９が簡単に取り付くこととなる。
【００５３】
而して、図６に示すように左右のケーブルホルダー５９には３つ宛のケーブル把持溝３３，５７が開口しているため、光通信装置から出る光ファイバーケーブル９５を左右に振り分けて、これらを左右のケーブルホルダー５９の各ケーブル把持溝３３，５７に整線，保持させればよく、ケーブル把持溝３３，５７は開口が狭く、奧が広い正面視略漏斗形状に形成されているため、ケーブル把持溝３３，５７から光ファイバーケーブル９５が外れることがない。
【００５４】
また、ケーブルホルダー５９を例えば３Ｕ用に使用する場合には、図２２，図２３で説明したように、取付具２７，２９を支柱にねじ７３で光通信装置と共締めした後、図１０の如くケーブルホルダー５９を図６の状態から、分割ホルダー２５を下方へ２ピッチ（＝５０ｍｍ）スライドさせて、或いは分割ホルダー２３を上方へ２ピッチスライドさせればよく、係止突起４５が係止孔４７に係止して両分割ホルダー２３，２５の位置決めと脱落防止が図られる。そして、図２７の如く左側のケーブルホルダー５９の係止片４３，４９の係止溝５３を、左側の取付具２７の支持溝８５に係止し、図示しないが右側のケーブルホルダー５９の係止片４３，４９の係止溝５１を、右側の取付具２７の支持溝８５に係止させればよい。
【００５５】
而して、図１０に示すように左右のケーブルホルダー５９には、ケーブル把持溝３３，５７と副ケーブル把持溝６３とで７つの把持溝３３，５７，６３が開口しているため、光通信装置から出る光ファイバーケーブル９５を左右に振り分けて、これらを左右のケーブルホルダー５９の７つの把持溝３３，５７，６３に整線，保持させればよく、ケーブル把持溝３３，５７，副ケーブル把持溝６３は開口が狭く、奧が広く形成されているため、光ファイバーケーブル９５が外れることがない。
【００５６】
尚、３Ｕの光通信装置から出る光ファイバーケーブル９５の本数が少ない場合には、例えば左側のケーブルホルダー５９を図１０の３Ｕ用にセットし、右側のケーブルホルダー５９を図６の２Ｕ用にセットして使用してもよい。但し、この場合、２Ｕ用にセットしたケーブルホルダー５９用に、取付具２９の取付位置を変更する必要がある。
【００５７】
そして、図１０の３Ｕ用にセットしたケーブルホルダー５９は４Ｕ用にも使用可能で、図２４で既述したように金具９１に、図２３の寸法Ｌ８と同一寸法でねじ孔８０を上下に設けて、該ねじ孔８０に沿って取付具２９を取り付けた後、図２２及び図２３と同様、左右に３Ｕ用にセットしたケーブルホルダー５９を同じく装着すればよい。
【００５８】
このように本実施形態によれば、光通信装置の高さ寸法、言い換えれば２Ｕ，３Ｕに応じて分割ホルダー２３，２５をスライド操作して、ケーブルホルダー５９側の係止片４９，５１の係止溝５１，５３を、支柱に取り付く取付具２７，２９の支持溝８５に係止させるだけで、ケーブルホルダー５９を支柱に取り付けることができ、而も、取付具２７，２９は光通信装置をラックの支柱に固定するねじ７３を用いて予め該装置と共締めしておけばよいため、
(1)ねじ止めによるケーブルホルダー５９の取付けが不要となって、従来に比し作業性が著しく向上することとなった。
【００５９】
また、
(2)分割ホルダー２３，２５をスライド操作することで、光通信装置の高さ寸法の相違に対応可能で、ケーブル把持溝の増減も可能であるから、従来の如く仕様に応じ複数種用意する必要がなく、而も、上下を反転させることで左右の何れにも使用できることも相俟って、ケーブルホルダー５９の製造コストの削除が図れ、商品管理も用意である。
【００６０】
更にまた、
(3)分割ホルダー２３，２５に、位置決め兼脱落防止用のストッパとして機能する係止突起４５と係止孔４７を設けたため、ケーブルホルダー５９の取付けの際に両分割ホルダー２３，２５のズレや脱落がなく、作業性に優れた利点を有する。
【００６１】
そして、
(4)副ケーブル把持溝６３を設けたことで、更なるケーブル把持溝の増減が可能であり、
(5)ケーブル把持溝３３，５７及び副ケーブル把持溝６３は、開口が狭く、奧が広く形成されているため、光ファイバーケーブル９５が脱落することがない。
【００６２】
また、
(6)取付具２７，２９には、回り止めとして機能する係止片８１を設けているため、該取付具２７，２９をねじ７３で光通信装置と共締めする際に、取付具２７，２９が回ってズレてしまうことがなく、ねじ止め作業がし易い利点を有する。
【００６３】
尚、本実施形態に係るケーブルホルダー５９は光ファイバーケーブル９５の整線，保持に限定されず、その他の多くのケーブルのホルダーとして利用可能である。
【図面の簡単な説明】
【００６４】
【図１】分割ホルダーの正面図である。
【図２】分割ホルダーの側面図である。
【図３】図１のIII−III線断面図である。
【図４】分割ホルダーの正面図である。
【図５】分割ホルダーの側面図である。
【図６】ケーブルホルダーの正面図である。
【図７】ケーブルホルダーの側面図である。
【図８】ケーブルホルダーの正面図である。
【図９】図８のIX−IX線断面図である。
【図１０】ケーブルホルダーの正面図である。
【図１１】ケーブルホルダーの側面図である。
【図１２】取付具の平面図である。
【図１３】取付具の側面図である。
【図１４】取付具の正面図である。
【図１５】取付具が上下に取り付く２Ｕ用の金具の正面図である。
【図１６】取付具が上下に取り付く２Ｕ用の金具の平面図である。
【図１７】取付具の平面図である。
【図１８】取付具の側面図である。
【図１９】取付具の正面図である。
【図２０】取付具が上下に取り付く金具の正面図である。
【図２１】取付具が上下に取り付く金具の平面図である。
【図２２】取付具が上下に取り付く３Ｕ用の金具の正面図である。
【図２３】取付具が上下に取り付く３Ｕ用の金具の正面図である。
【図２４】取付具が上下に取り付く４Ｕ用の金具の正面図である。
【図２５】取付具を介してケーブルホルダーが取り付く２Ｕ用の金具の平面図である。
【図２６】取付具を介してケーブルホルダーが取り付く２Ｕ用の金具の正面図である。
【図２７】取付具を介してケーブルホルダーが取り付く３Ｕ用の金具の正面図である。
【図２８】取付具を介してケーブルホルダーが取り付く４Ｕ用の金具の正面図である。
【図２９】従来のケーブルホルダーの使用状態の説明図である。
【符号の説明】
【００６５】
２３，２５  分割ホルダー
２７，２９  取付具
３３，５７  ケーブル把持溝
３７，３９  屈曲片
４１，７５  切欠き
４３，４９，８１  係止片
４５  係止突起
４７  係止孔
５１，５３  係止溝
５９  ケーブルホルダー
６３，６５  副ケーブル把持溝
６７，６９，８７，８９，９１  金具
７１  固着面
７３，９３  ねじ
８０  ねじ孔
８３  支持片
８５  支持溝
９５  光ファイバーケーブル
【図１】
2010040663.tif 000003
【図２】
2010040663.tif 000004
【図３】
2010040663.tif 000005
【図４】
2010040663.tif 000006
【図５】
2010040663.tif 000007
【図６】
2010040663.tif 000008
【図７】
2010040663.tif 000009
【図８】
2010040663.tif 000010
【図９】
2010040663.tif 000011
【図１０】
2010040663.tif 000012
【図１１】
2010040663.tif 000013
【図１２】
2010040663.tif 000014
【図１３】
2010040663.tif 000015
【図１４】
2010040663.tif 000016
【図１５】
2010040663.tif 000017
【図１６】
2010040663.tif 000018
【図１７】
2010040663.tif 000019
【図１８】
2010040663.tif 000020
【図１９】
2010040663.tif 000021
【図２０】
2010040663.tif 000022
【図２１】
2010040663.tif 000023
【図２２】
2010040663.tif 000024
【図２３】
2010040663.tif 000025
【図２４】
2010040663.tif 000026
【図２５】
2010040663.tif 000027
【図２６】
2010040663.tif 000028
【図２７】
2010040663.tif 000029
【図２８】
2010040663.tif 000030
【図２９】
2010040663.tif 000031